(57)【特許請求の範囲】
【請求項１】
上部が開口された箱状の軒樋接続体であって、該軒樋接続体の側壁（１）に断面略Ｕ字状の軒樋（Ｎ）の長手方向端部の外形とその外形で形成された内部空間を包むような内部形状を有する接続口（２）を設け、前記軒樋（Ｎ）の長手方向に沿って形成された上記軒樋接続体の側壁（３）に該軒樋（Ｎ）の長手方向へと延びる開口部（４）を設け、前記軒樋（Ｎ）が伸縮してもその先端（Ｎ１）が該開口部（４）を通して見えるように該開口部（４）を形成し、該開口部（４）の周りに、冬、夏の２つの表示をしたことを特徴とする軒樋接続体。
【発明の詳細な説明】
【０００１】
【発明の属する技術分野】
本発明は、軒樋同士を接続したり、軒樋内にある雨水を集めて竪樋に送水する軒樋集水器等の軒樋と接続される軒樋接続体に係り、特に熱収縮によってその長手方向に伸び縮みする軒樋に対応した軒樋接続体に関する。
【０００２】
【従来の技術】
従来の軒樋接続体としては、図３に示すように、上部が開口された箱状のものであり、軒樋Ｎから受けた雨水を竪樋Ｔへと排水するものがある。この軒樋接続体には、その側壁１に断面略Ｕ字状の軒樋Ｎの長手方向端部の外形とその外形で形成された内部空間を包むような内部形状を有する接続口２が設けられている。かかる軒樋接続体に軒樋Ｎを接続するには、軒樋の伸縮を予め考慮して、軒樋Ｎの先端Ｎ１を夏の時期には側壁１に近く、冬の時期には側壁１から遠くなるように軒樋接続体に挿入されるものである。
【０００３】
【発明が解決しようとする課題】
しかし、かかる手段では、作業者によって軒樋挿入幅Ｘが異なり、軒樋挿入幅があまりに短いと、冬に軒樋が縮んで外れてしまうという課題があった。また、該軒樋挿入幅があまりに長いと、夏の気温で延びた軒樋の互いに対向し合う端部同士が衝突し合い、上記軒樋接続体を上に持ち上げてしまうという課題があった。
【０００４】
したがって、本発明の目的は、軒樋に伸び縮みがあっても軒樋を常に安定的に保持し続ける軒樋接続体を提供することにある。
【０００５】
【課題を解決するための手段】
本発明者は、上記に鑑み鋭意検討を行った結果、上部が開口された箱状の軒樋接続体であって、該軒樋接続体の側壁に断面略Ｕ字状の軒樋の長手方向端部の外形とその外形で形成された内部空間を包むような内部形状を有する接続口を設け、前記軒樋の長手方向に沿って形成された上記軒樋接続体の側壁に該軒樋の長手方向へと延びる開口部を設け、前記軒樋が伸縮してもその先端が該開口部を通して見えるように該開口部を形成し、該開口部の周りに、冬、夏の２つの表示をしたことにより上記課題を解決できることを見出だし、本発明を完成した。
【０００６】
【発明の実施の形態】
本発明において、軒樋の長手方向に沿って形成された軒樋接続体の側壁に該軒樋の長手方向へと延びる開口部を設け、該軒樋が伸縮してもその先端が該開口部を通して見えるように該開口部を形成したのは、軒樋取付作業時に該軒樋の長手方向端部を軒樋接続体外部から目視できるようにしたためである。この開口部が側壁に設けられているのは、地面から脚立や足場を使って軒下にたどり着いた作業者からみて、側面が見易い位置だからである。なお、該開口部を底面に設置することも考えられるが、底面では漏水の原因となってしまうので好ましくない。
【０００７】
軒樋の長手方向における上記開口部の長さは、軒樋が一番延びたときの先端がいる位置と一番縮んだときの先端がいる位置に対応して適宜決められるものであり、軒樋の熱収縮度合いによって異なるものである。また、この開口部の周りに、冬、夏の２つの表示、若しくは上記接続口からみて、冬、春・秋、夏という順番に３つの表示をすることにより、間違いなく軒樋が所定の位置に取り付けられることができる。
【０００８】
本発明の内容を利用できる軒樋接続体としては、双方向に軒樋同士を接続する軒樋継手、直交方向に軒樋同士を接続する軒樋エルボ継手、軒樋内の雨水を竪樋に送水するための雨樋集水器等がある。また、その形状としては、上面を開口した箱体が基本的な形状となるが、その内部形状において漏水することなく軒樋からの雨水を受ける機能を有する形であれば適宜選択して使用できるものであり、例えば多角を有する立方体、一部を開口した球状体、有底筒状体等がある。
【０００９】
本発明の軒樋接続体は、該軒樋接続体の側壁に軒樋の長手方向に沿って延びる開口部を設け、これにより、該開口部を通して季節に応じた軒樋挿入幅で軒樋を正確に接続でき、軒樋の伸び縮みがあっても常に安定的に軒樋を保持し続けることができる。
【００１０】
【実施例】
本発明にかかる第一実施例を図１に開示する。図１は本発明の第一実施例にかかる軒樋接続体の施工例を模式的に示した斜視図である。
【００１１】
この軒樋接続体は、雨樋集水器に適用されたものであり、全体的には上部が開口された箱状の軒樋接続体である。該軒樋接続体の側壁１には、断面略Ｕ字状の軒樋Ｎの長手方向端部の外形とその内部空間を包むような内部形状を有する接続口２が設けられている。前記軒樋Ｎの長手方向に沿って形成された上記軒樋接続体の側壁３には、該軒樋Ｎの長手方向へと延びる開口部４を設けられている。また、該開口部３は、夏冬のいずれの時期であってもその外部から軒樋Ｎの先端Ｎ１を見えるような長さで配置されている。
【００１２】
なお、図中、符号Ｔは竪樋であり、Ｘは軒樋挿入幅であり、説明上、軒樋Ｎと軒樋接続体との間に配置される防水パツキン等の図示は省略した。
【００１３】
本実施例にあっては、冬に施工する時には軒樋先端Ｎ１を開口部４の接続口２側にセットされ、夏に施工する時には該軒樋先端Ｎ１を開口部４の軒樋接続体中央部側にセットされ、該先端Ｎ１を該開口部４から常に見えるようにセットされる。本実施例にかかる軒樋接続体は、上記施工がなされることにより、軒樋の伸び縮みがあっても、軒樋を常に安定的に保持し続けることができる。
【００１４】
図２に、本発明の第二実施例にかかる軒樋接続体の施工例を模式的に示した正面図を開示する。この実施例は、図１の実施例の開口部４の下部であって軒樋接続体の中央側に「夏」、両端側に「冬」を表示したものである。本実施例にあっては、第一実施例よりも軒樋先端Ｎ１の施工位置がより明確となるため、より精度良く軒樋を常に安定的に保持し続けることができる。
【００１５】
【発明の効果】
本発明は、上部が開口された箱状の軒樋接続体であって、該軒樋接続体の側壁に断面略Ｕ字状の軒樋の長手方向端部の外形とその外形で形成された内部空間を包むような内部形状を有する接続口を設け、前記軒樋の長手方向に沿って形成された上記軒樋接続体の側壁に該軒樋の長手方向へと延びる開口部を設け、前記軒樋が伸縮してもその先端が該開口部を通して見えるように該開口部を形成したことを特徴とし、これにより軒樋の伸び縮みがあっても軒樋を常に安定的に保持し続けることができる。
【図面の簡単な説明】
【図１】本発明の第一実施例にかかる軒樋接続体の施工例を模式的に示した斜視図である。
【図２】本発明の第二実施例にかかる軒樋接続体の施工例を模式的に示した正面図である。
【図３】本発明の従来技術における軒樋接続体を模式的に示した斜視図である。
【符号の説明】
１  側壁
２  接続口
３  側壁
４  開口部
Ｎ  軒樋
Ｎ１  先端
【図１】
0003636568.tif 000002
【図２】
0003636568.tif 000003
【図３】
0003636568.tif 000004